(57)【要約】  放送環境においてＤＲＭを提供するシステム及び方法が開示されている。実施例によれば，ＤＲＭシステムが暗号化されたサービスかぎを移動体電話ネットワークを介して移動体端末に配信する。移動体端末は暗号化されたサービスかぎを受信し，それを使ってＤＶＢセットトップボックスから受信した暗号化コンテンツかぎを復号する。復号されたコンテンツかぎはローカルリンクを介してセットトップボックスに送信され，暗号化された放送コンテンツを復号するために用いられる。受信機ハードウェアが再生過程の一部で電源を切ることができるようにする移動体受信機のための電力管理テクニックも開示されている。
2007511946.tif 000002
【特許請求の範囲】
【請求項１】
放送ディジタルコンテンツを保護するための方法であって，
第１かぎでディジタルコンテンツを暗号化するステップと，
第２かぎで前記第１かぎを暗号化するステップと，
前記の暗号化ディジタルコンテンツと，前記の暗号化第１かぎとを放送するステップと，
前記第２かぎを保護し，該第２かぎに権利を付与するステップと，
移動体ネットワークを介して，移動体端末に前記の保護第２かぎと前記の付与権利とを送信するステップとを有する方法。
【請求項２】
コンテンツ表示デバイスにおいて，前記暗号化ディジタルコンテンツと前記暗号化第１かぎとを受信するステップと，
移動体端末において，前記保護第２かぎと前記付与権利とを受信するステップと，
前記コンテンツ表示デバイスから前記移動体端末へ，前記暗号化第１かぎを送信するステップと，
前記暗号化第１かぎを，前記付与権利に従って前記保護第２かぎで復号するステップと，
前記移動体端末から前記コンテンツ表示デバイスへ，前記の復号第１かぎを送信するステップと，
前記コンテンツ表示デバイスにおいて，前記復号第１かぎで前記暗号化ディジタルコンテンツを復号するステップとを，更に有する請求項１に記載の方法。
【請求項３】
前記第２かぎを，ユーザ特定かぎで暗号化することによって保護する請求項１に記載の方法。
【請求項４】
前記付与権利を，保護された証明書（ｖｏｕｃｈｅｒ）に含めて送信する請求項１に記載の方法。
【請求項５】
前記付与権利に，前記暗号化ディジタルコンテンツを１回再生する権利を少なくとも含める請求項１に記載の方法。
【請求項６】
前記第２かぎを，ＯＭＡ標準に従って保護する請求項１に記載の方法。
【請求項７】
実行可能アプリケーションを，前記移動体端末に送信する請求項１に記載の方法。
【請求項８】
実行可能アプリケーションを前記移動体端末に送信し，該実行可能アプリケーションにより前記移動体端末が前記第２かぎを復号できるようにする，請求項２に記載の方法。
【請求項９】
前記実行可能アプリケーションにより，更に前記移動体端末が前記第１かぎを復号できるようにする，請求項８に記載の方法。
【請求項１０】
保護されたディジタルコンテンツを視聴するための方法であって，
コンテンツ表示デバイスにおいて，片方向送信リンクを介して暗号化ディジタルコンテンツと暗号化第１かぎとを受信するステップと，
移動体端末において，移動体ネットワークを介して保護第２かぎと付与権利とを受信するステップと，
前記コンテンツ表示デバイスから前記移動体端末へ，双方向送信リンクを介して前記暗号化第１かぎを送信するステップと，
前記付与権利に従って，前記保護第２かぎで前記暗号化第１かぎを復号するステップと，
前記移動体端末から前記コンテンツ表示デバイスへ，前記復号第１かぎを送信するステップと，
前記コンテンツ表示デバイスにおいて，前記復号第１かぎで前記暗号化ディジタルコンテンツを復号するステップとを有する方法。
【請求項１１】
前記移動体端末において実行可能アプリケーションを受信するステップを有し，そこで前記実行可能アプリケーションによって，前記移動体端末が前記第２かぎを復号できるようにする請求項１０に記載の方法。
【請求項１２】
前記実行可能アプリケーションによって，更に前記移動体端末が前記第１かぎを復号できるようにする請求項１１に記載の方法。
【請求項１３】
移動体端末から移動体ネットワークを介してコンテンツ権利利用のための要求を送信するステップを更に有する請求項１０に記載の方法。
【請求項１４】
ディジタルビデオ放送コンテンツを保護するためのシステムであって，
移動体ネットワークと，
前記移動体ネットワークに接続された計算機と，
前記移動体ネットワークに接続された移動体端末と，
短距離ネットワークを介して前記移動体端末に接続されたコンテンツ受信デバイスとを備え，
前記コンテンツ受信デバイスを，暗号化ディジタルコンテンツと少なくとも一つの暗号化第１かぎとを含む片方向コンテンツ送信信号を受信するようにプログラムし，また前記コンテンツ受信デバイスを，前記移動体端末へ前記暗号化第１かぎを送信するように更にプログラムし，
前記計算機を，第２かぎを保護し，該第２かぎの許可された利用権を識別する権利証明書を生成し，前記移動体ネットワークを介して前記移動体端末へ前記保護第２かぎと前記権利証明書とを送信するようにプログラムし，
前記移動体端末を，前記権利証明書に従って前記暗号化第１かぎを復号するために前記保護第２かぎを用い，前記復号第１かぎを前記コンテンツ受信デバイスに送信するようにプログラムし，
前記コンテンツ受信デバイスを，前記復号第１かぎで前記暗号化ディジタルコンテンツを復号するように更にプログラムするシステム。
【請求項１５】
保護されたディジタルコンテンツを表示するためのシステムであって，
移動体ネットワークと，
前記移動体ネットワークに接続された移動体端末と
短距離ネットワークを介して前記移動体端末に接続され，放送コンテンツを受信できるコンテンツ受信デバイスとを備え，
前記コンテンツ受信デバイスを，暗号化ディジタルコンテンツと，少なくとも一つの暗号化第１かぎとを含む放送コンテンツを受信するようにプログラムし，また前記コンテンツ受信デバイスを，前記短距離ネットワークを介して前記移動体端末へ前記暗号化第１かぎを送信するように更にプログラムし，
前記移動体端末を，前記権利証明書に従って前記暗号化第１かぎを復号するために前記保護第２かぎを用い，前記復号第１かぎを前記短距離ネットワークを介して前記コンテンツ受信デバイスに送信するようにプログラムし，
前記コンテンツ受信デバイスを，前記復号第１かぎで前記暗号化ディジタルコンテンツを復号するように更にプログラムするシステム。
【請求項１６】
前記移動体端末を，コンテンツの選択肢を受信及び表示するように更にプログラムし，また前記移動体端末が，前記保護第２かぎと前記権利証明書とをコンテンツ要求への応答として受信する請求項１５に記載のシステム。
【請求項１７】
前記コンテンツ要求を，前記移動体端末に関連する請求口座に請求する請求項１６に記載のシステム。
【請求項１８】
前記短距離ネットワークをＢｌｕｅｔｏｏｔｈ（登録商標）ネットワークとする請求項１５に記載のシステム。
【請求項１９】
前記移動体端末が，前記権利証明書に従う前記保護第２かぎの利用と，前記第１かぎの復号と，前記復号第１かぎの前記コンテンツ受信デバイスへの送信とのために，Ｊａｖａ（登録商標）アプリケーションを走行させる請求項１５に記載のシステム。
【請求項２０】
前記権利証明書がＯＭＡ  ＤＲＭに適合し，前記第２かぎをＯＭＡ  ＤＲＭに従って保護する請求項１５に記載のシステム。
【請求項２１】
放送ディジタルコンテンツを保護するための方法であって，
ディジタルコンテンツを第１かぎで暗号化するステップと，
前記第１かぎを第２かぎで暗号化するステップと，
前記の暗号化第１かぎを放送するステップと，
前記の暗号化ディジタルコンテンツをいくつかのセグメントで放送するステップと，
前記第２かぎを保護し，該第２かぎに権利を付与するステップと，
前記の保護第２かぎと前記の付与権利とを，いくつかのネットワークの少なくとも一つを介して移動体端末に送信するステップとを有する方法。
【請求項２２】
各セグメントを，該セグメントに含まれる前記暗号化ディジタルコンテンツの再生に必要な時間より短い時間で放送する請求項２１に記載の方法。
【請求項２３】
前記保護第２かぎと前記付与権利とを，移動体ネットワークを介して移動体端末へ送信する請求項２１に記載の方法。
【請求項２４】
放送ディジタルコンテンツを保護するための方法であって，
ディジタルコンテンツを第１かぎで暗号化するステップと，
前記第１かぎを第２かぎで暗号化するステップと，
前記の暗号化ディジタルコンテンツをいくつかのセグメントで放送し，そこで各セグメントを，該セグメントに含まれる前記暗号化ディジタルコンテンツの再生に必要な時間より短い時間で放送するステップと，
前記第２かぎを保護し，該第２かぎに権利を付与するステップと，
前記の保護第２かぎと前記の付与権利とを，移動体ネットワークを介して移動体端末に送信するステップとを有する方法。
【請求項２５】
保護されたディジタルコンテンツを視聴するための方法であって，
暗号化ディジタルコンテンツと暗号化第１かぎとの放送セグメントを受信及びバッファリングし，前記セグメントを受信した後，前記の放送受信機の電源を切るステップと，
前記移動体端末において，移動体ネットワークを介して保護第２かぎと付与権利とを受信するステップと，
前記付与権利に従って前記保護第２かぎで前記暗号化第１かぎを復号するステップと，
前記復号第１かぎで前記の暗号化ディジタルコンテンツの放送セグメントを復号するステップと，
前記のディジタルコンテンツを再生するステップと，
予定の期間待機した後，前記放送受信機の電源を投入するステップとを有する方法。
【請求項２６】
前記予定の期間を，前記放送セグメントのパラメータで指示する請求項２５に記載の方法。
【請求項２７】
前記予定の期間を，前記移動体端末にプログラムする請求項２５に記載の方法。
【請求項２８】
前記予定の期間を，前記ディジタルコンテンツの再生に要する時間によって判定する請求項２５に記載の方法。
【請求項２９】
前記ディジタルコンテンツをＤＶＢビデオ番組とする請求項２５に記載の方法。
【請求項３０】
ディジタルビデオ放送コンテンツを保護するためのシステムであって，
移動体ネットワークと，
前記移動体ネットワークに接続された計算機と，
前記移動体ネットワークに接続された移動体端末とを備え，
前記移動体端末がコンテンツ受信デバイスとコンテンツ再生デバイスとを備え，
前記コンテンツ受信デバイスを，暗号化ディジタルコンテンツと少なくとも一つの暗号化第１かぎとの複数セグメントを含む片方向コンテンツ送信信号を受信するようにプログラムし，
前記計算機を，第２かぎを保護し，該第２かぎの許可された利用権を識別する権利証明書を生成し，前記移動体ネットワークを介して前記移動体端末へ前記保護第２かぎと前記権利証明書とを送信するようにプログラムし，
前記移動体端末を，前記権利証明書に従って前記暗号化第１かぎを復号するために前記保護第２かぎを用いるようにプログラムし，前記コンテンツ受信デバイスが，前記復号第１かぎで前記暗号化ディジタルコンテンツを復号するように更にプログラムし，
前記移動体端末を，暗号化ディジタルコンテンツの第１セグメント受信後に前記コンテンツ受信デバイスの電源を切り，次に暗号化ディジタルコンテンツの第２セグメントを受信するために，予定の期間後に前記コンテンツ受信デバイスの電源を投入するようにプログラムし，
前記の再生デバイスが前記の復号ディジタルコンテンツを再生するシステム。
【請求項３１】
保護されたディジタルコンテンツを表示するためのシステムであって，
移動体ネットワークと，
前記移動体ネットワークに接続された移動体端末とを備え，
前記移動体端末が，放送コンテンツの受信ができるコンテンツ受信デバイスと，コンテンツ再生ができる再生デバイスとを備え，
前記コンテンツ受信デバイスを，暗号化ディジタルコンテンツと少なくとも一つの暗号化第１かぎとのセグメントを含む放送コンテンツ送信信号を受信するようにプログラムし，また前記コンテンツ受信デバイスを，前記短距離ネットワークを介して前記移動体端末へ前記暗号化第１かぎを送信するように更にプログラムし，
前記移動体端末を，前記権利証明書に従って前記暗号化第１かぎを復号するために前記保護第２かぎを用いるようにプログラムし，また前記コンテンツ受信デバイスを，前記復号第１かぎで前記暗号化コンテンツを復号するように更にプログラムし，
前記移動体端末を，暗号化ディジタルコンテンツの第１セグメント受信後に前記コンテンツ受信デバイスの電源を切り，次に暗号化ディジタルコンテンツの第２セグメントを受信するために，予定の期間後に前記コンテンツ受信デバイスの電源を投入するようにプログラムし，
前記の再生デバイスが前記の復号ディジタルコンテンツを再生するシステム。
【請求項３２】
前記暗号化ディジタルコンテンツをＤＶＢ送信信号とし，前記再生デバイスをスクリーン及び少なくとも一つのスピーカとする請求項３１に記載のシステム。
【請求項３３】
保護されたディジタルコンテンツを表示するためのシステムであって，
移動体端末と，
放送コンテンツの受信ができるコンテンツ受信デバイスと，コンテンツ再生ができる再生デバイスとを備えた前記移動体端末とを備え，
前記コンテンツ受信デバイスを，暗号化ディジタルコンテンツと少なくとも一つの暗号化第１かぎとのセグメントを含む放送コンテンツ送信信号を受信するようにプログラムし，また前記コンテンツ受信デバイスを，前記移動体端末へ前記暗号化第１かぎを伝えるように更にプログラムし，
前記移動体端末を，前記権利証明書に従って前記暗号化第１かぎを復号するために前記保護第２かぎを用いるようにプログラムし，前記コンテンツ受信デバイスを，前記復号第１かぎで暗号化ディジタルコンテンツを復号するように更にプログラムし，
前記移動体端末を，暗号化ディジタルコンテンツの第１セグメント受信後に前記コンテンツ受信デバイスの電源を切り，次に暗号化ディジタルコンテンツの第２セグメントを受信するために，予定の期間後に前記コンテンツ受信デバイスの電源を投入するようにプログラムし，
前記第１かぎの少なくとも一つを復号し，次に前記暗号化ディジタルコンテンツを復号し，そして前記再生デバイスが前記復号ディジタルコンテンツを再生するシステム。
【発明の詳細な説明】
【技術分野】
【０００１】
本発明は，一般にＩＰデータキャストコンテンツの保護送信と利用とに関する。より特定するならば，移動体端末を用いるセキュアなブロードバンドディジタルコンテンツ配信と権利管理とに関する。
【背景技術】
【０００２】
ＤＶＢは，ディジタル放送ビデオコンテンツの配信のための標準を定めている。ＤＶＢの採用に関する一つの課題は，標準が規定する元々のディジタルコンテンツは，コンテンツ所有者の同意なしに，品質劣化なく記録され配信される可能性があることである。未承認の配信を防ぐために，ＤＶＢ標準には，送信前に配信コンテンツを暗号化するためのメカニズムがある。しかしながら，ＤＶＢはディジタル権利管理（ＤＲＭ）スキーム又はかぎ配信標準を規定していない。これら二つの要素は，セキュア伝送とコンテンツを保護するための限定受信とを保証する。ＤＶＢは，コンテンツ保護のこの観点を，独自ＤＲＭシステムの開発に委ねている。
【０００３】
どの権利管理システムにおいても，配信コンテンツの暗号化は比較的単純である。より難しいのは，配信情報を復号し，利用するのに必要な権利の限定受信情報を配信することである。権利には，例えばコンテンツをある期間再生したり，コンテンツを限定された回数だけコピーしたりするといった，暗号化コンテンツに対して最終ユーザがすることができることが組み込まれる。ＤＲＭは，権利自体は自由にコピー又は配信できないようになっている厳格に管理されたシステムに，コンテンツを復号するために必要なかぎを包み込むことによってコンテンツの限定受信を達成している。米国特許出願公報 No.2003-0076955-A1を参照されたい。これらの権利を成功裏に管理するには，特定の承認された最終ユーザ外に権利が配信されないように，権利を個別化する必要がある。
【０００４】
現在のＤＶＢ  ＤＲＭソリューションでは，ＤＶＢ送信信号を搬送するのと同じ放送でこれらの権利を証明書（ｖｏｕｃｈｅｒ）として送信する。この方法は，各ユーザが個別化された権利証明書を受信する必要があるので，非常な帯域幅の浪費となり得る。証明書の数が大きくなるにつれ，ディジタルコンテンツも搬送しなければならない放送リンクの帯域幅が，不必要に浪費されることになる。この証明書送信方法は，放送を受信する各ユーザがそのユーザに向けられた証明書のみならず，他のユーザに向けられた証明書も受信するので特に浪費的である。
【０００５】
ＤＲＭを提供する他の方法では，スマートカード及びモデムを備えるセットトップボックスのような特別な装置を利用して，例えば電話回線のようなさまざまな通信リンクを通じて権利証明書を配信するように制御する。しかし，権利配信を実行するために必要な特別な装置を利用すると，空中波の放送事業者は，ケーブル配信事業者のように効率的には最終ユーザの装置を制御することができない。問題は，空中波放送事業者が付加的な有料放送システムを開発したいと思っても，まず最初にＤＲＭインフラストラクチャ（ハードウェア及びソフトウェア）及び課金メカニズムを含む最終ユーザのための統一ハードウェアインフラストラクチャを開発しなければならないことである。このシステムを構築するために必要な投資は，どの一つの放送チャンネルにとっても相当なものとなる。さらに，最終ユーザはただ一つのチャンネルのためのシステムに投資したり，新たな装置を取得したりしそうにない。
【発明の開示】
【課題を解決するための手段】
【０００６】
ＤＶＢコンテンツの限定受信を制御するためにＤＲＭを用いるシステム及び方法を提供することによって，上記の問題が解決され，技術的進歩が達成できる。
【０００７】
本発明の例としての実施例は，ＤＶＢサービスかぎを暗号化し，そのＤＶＢサービスかぎの利用に関連する権利を記述した権利証明書を生成するＤＲＭシステムである。権利証明書及び暗号化されたサービスかぎは移動体端末へ送信され，その端末は権利証明書に明瞭に表現された権利に従って，サービスかぎを暗号化するようにプログラムされている。ＤＶＢ表示デバイスはコンテンツかぎで暗号化されたコンテンツを受信し，またサービスかぎで暗号化されたコンテンツかぎのバージョンも受信する。ＤＶＢ表示デバイスは，暗号化コンテンツかぎを移動体端末に送信する。移動体端末は，権利証明書に定義された権利に従って，サービスかぎでコンテンツかぎを復号する。移動体端末は復号されたコンテンツかぎをＤＶＢ表示デバイスに送信し，そこで復号コンテンツかぎが暗号化コンテンツを復号するために用いられる。
【０００８】
本発明の更なる例としての実施例では，ＤＲＭシステムが移動体端末に実行可能なアプリケーションを送信する。移動体端末は，それでサービスかぎ及びコンテンツかぎの復号を制御し，付与された権利を強制するアプリケーションを動作させる。
【０００９】
本発明の更なる例としての実施例では，ＤＲＭシステム及び移動体端末が，双方ともＯＭＡ  ＤＲＭ標準に従って，サービスかぎを保護し，権利証明書を定義し，移動体端末に許諾された権利を強制するように動作する。
【００１０】
本発明の更なる例としての実施例では，移動体端末がＢｌｕｅｔｏｏｔｈ（登録商標）を介してＤＶＢ表示デバイスと接続される。
【００１１】
本発明の更なる例としての実施例では，移動体電話課金システムがＤＶＢコンテンツの利用に対して課金するために利用される。
【００１２】
本発明の他の更なる態様は，下記の説明及び添付の図面を参照することによって明らかになるであろう。
【実施例】
【００１３】
本発明のシステム及び方法は，ＤＶＢ環境においてＤＲＭ権利を送信するための効率的でセキュアな方法を提供する。本発明は，分離された配信路を用いることにより，不必要に放送送信帯域幅を浪費することなく，送信及び権利管理が保護された方法で行えるという利点がある。さらに，本発明の特に利点のある実施例では，既製の課金及びコンテンツ管理のための移動体電話インフラストラクチャ及び確立された移動体ＤＲＭ標準を利用する。
【００１４】
図１はＤＶＢのコンテンツ暗号化及び配信スキームの概要を示す。クリアな，すなわち暗号化されていないＤＶＢコンテンツ１ｃはまず，ＤＶＢ共通スクランブルアルゴリズム（ＤＶＢ  ＣＳＡ  ５）に従って暗号化される。ＤＶＢ  ＣＳＡ  ５はクリアＤＶＢコンテンツ１ｃ及びランダムなＣＳＡ制御語（ｃｏｎｔｒｏｌ  ｗｏｒｄ）１０を入力として受け取る。ＤＶＢ  ＣＳＡ  ５は次に，対称暗号アルゴリズムを用いて暗号化ＤＶＢコンテンツ１ｅを生成する。ＣＳＡ制御語１０は，後で復号アルゴリズムによって，暗号化ＤＶＢコンテンツ１ｅを復号し，利用可能なクリアＤＶＢコンテンツを回復するために必ず用いられる。それ故，ＣＳＡ制御語は，配信された暗号化コンテンツのかぎと考えることができる。暗号化ＤＶＢコンテンツ１ｅは，今や空路（ａｉｒｗａｙｓ）５０を介してＤＶＢ最終ユーザ４０に自由に放送しても安全である。最終ユーザに関して，図は最終ユーザ４０を示すために一つのシンボルを示しているだけであるが，任意の数の最終ユーザが放送コンテンツを受信できると理解すべきである。さらに，識別された最終ユーザ４０は，例えばＤＶＢコンテンツ及びメッセージを受信及び復号するＤＶＢ機能を実施するいくつかのハードウェア及びソフトウェアの構造体を表している。最終ユーザ構造体は，ＤＶＢ標準及び開示されたシステムに従って動作するようにプログラムされた，ＴＶ，チューナ又はセットトップボックスのような任意の既知の装置に組み込むことができる。
【００１５】
これまで説明した過程はＤＶＢ標準によって定義されており，それ故，さまざまなＤＶＢ実装間で統一が取れているべきである。しかし，最終ユーザ４０によって受信される暗号化ＤＶＢコンテンツは，復号できて始めて利用価値がある。そうするために，最終ユーザ４０は，ＣＳＡ制御語１０のコピーを必要とする。ＤＶＢ標準はしかし，最終ユーザにどうやってセキュアに制御語を送信するかについて規定していない。ＤＶＢ標準はまた，制御語が一旦配信された後，コンテンツ提供事業者によって規定された権利に従ってのみ使われることをどうやって保証するかについても規定していない。完全なＤＲＭシステムはそれ故，通過時における制御語のセキュリティ保護と，コンテンツ提供事業者によって許諾された権利に従う最終ユーザの利用制限との双方を行わなければならない。ＤＶＢシステムのこの独自の態様を実行する一般的方法は，図１の破線長方形内に示されている。
【００１６】
最初に，ＣＳＡ制御語１０はサービスかぎ（ＳＫ２２）で暗号化される２０。サービスかぎは，例えば有料チャンネル又はペイパービュー番組などの特定ＤＶＢサービスに関連付けられたすべてのＣＳＡ制御語を暗号化するのに用いられる。しかし，異なるサービスは，おそらく異なるかぎを用いるであろう。暗号化されたＣＳＡ制御語は，権利制御メッセージ（entitlement control message)（ＥＣＭ２５）に付加される。暗号化ＣＳＡ制御語に加え，ＥＣＭ２０もまたヘッダ情報又は他の関連データを含むことができる。ＥＣＭは次に放送ネットワークを介して最終ユーザ４０に送信される。
【００１７】
ＥＣＭに含まれる暗号化ＣＳＡ制御語は，次に暗号化ＤＶＢコンテンツを復号するのに用いられる前に，復号されなければならない。したがって，サービスかぎＳＫ２２を最終ユーザに送信しなければならない。それをセキュアに行うため，サービスかぎは特定最終ユーザに特定のユーザかぎ（ＵＫ２７）で暗号化される２８。典型的には，ＵＫは最終ユーザのセットトップボックス内の保護されたスマートカードに格納される。暗号化ＳＫは次に権利管理メッセージ（entitlement management message）ＥＭＭ２９を生成するために用いられる。ＥＭＭもまた，ヘッダ又は権利情報を含むことができる。送信された権利情報は，例えば，最終ユーザがどのように保護コンテンツを利用できるかを規定する。
【００１８】
最終ユーザのハードウェアは，そのユーザのＵＫで暗号化されたデータを復号できるように予めプログラムされているので，前の暗号化ステップと異なり，ユーザかぎは最終ユーザ４０に送信する必要がない。ＵＫの秘密性及び可用性を保証するために，いくつかの手続きを取ることができる。例えば，最終ユーザのハードウェアをＤＶＢシステムが知っている共用の秘密で予めプログラムしておくことができる。または，最終ユーザのＵＫを知ることなしにＳＫを暗号化できるように，公開かぎ暗号システムを利用することができる。どちらの例においても，ＥＭＭ受信時に最終ユーザはサービスかぎを復号し，それが次にＣＳＡ制御語を復号するのに用いられ，制御語が最終的に放送コンテンツを復号するために用いられる。
【００１９】
図２に示すように，移動体端末７０を利用するために，ＤＶＢコンテンツの一般的送信方法が修正されている。暗号化ＤＶＢコンテンツ１ｅ及びＥＣＭ２５内の暗号化制御語の配信は図１に示すとおり行われる。しかし，移動体端末の導入により，図２のシステムはＤＲＭ実装及びＤＶＢ放送事業者から移動体電話／データネットワークへのサービス要求条件の負荷を軽減することができる。
【００２０】
コンテンツ提供事業者，すなわち放送事業者は，ＳＫを他のコンテンツ関連データと共にＤＲＭシステムへ配信する。実質上，これはコンテンツ提供事業者のサーバがＳＫを生成し，計算機の任意の既知の方法で計算機通信へ送信することにより達成できる。
【００２１】
一つの実施例では，ＳＫはＵＫにより既に暗号化されたものが，ＥＭＭ内で送信される。ＤＲＭシステムは，特定のフォーマッティング及び必要な権利情報を加え，次にＥＭＭを移動体端末へ送信する。
【００２２】
代替実施例では，図２に示すように，放送事業者がＵＫ２７で暗号化する前に，ＳＫをＤＲＭシステム３０に提供することができる。これはＤＶＢ放送事業者とＤＲＭシステム３０との間のデータトラヒック量を制限する。なぜならば，ＳＫはすべてのユーザに対してはん用であるのに対して，暗号化ＥＭＭはユーザ特定であり，そのサービスを要求する各最終ユーザのために生成しなければならないからである。これら二つの例は，ＤＶＢ暗号化／放送及びＤＲＭシステムのさまざまな態様が，ＤＶＢ提供事業者がまたＤＲＭサービスも行うシステムを含めて，任意の数の方法でＤＶＢとＤＲＭサービス提供事業者とを分けることができる事実を示している。
【００２３】
ＤＲＭシステムによって与えられる権利強制は，任意の既知のＤＲＭテクニックで行うことができる。例えば，システムに関係する移動体端末は，基礎からＵＫ及びＵＫを保護するＤＲＭソフトウェア及び／又はハードウェアを含むところまでを設計することができる。そのソフトウェア及び／又はハードウェアは，移動体端末がＤＲＭシステムの与える指示に従ってＵＫを利用するだけであることを保証する。この実施例では，ＤＲＭシステムは，ＵＫ，すなわち共有秘密を知るか，又はＵＫが復号できるようにコンテンツを暗号化する方法，すなわち公開かぎ暗号を知るか，どちらかの必要がある。
【００２４】
図２の実施例に戻ると，一旦ＤＲＭシステム３０がＳＫ２２を受信すると，ＤＲＭシステムはＳＫのためのＤＲＭ保護を提供し，ＳＫを移動体電話ネットワークを介して最終ユーザに配信する。ＤＲＭシステムは，開示された動作を実行するようにプログラムされ，データを移動体端末に送信できるように移動体電話ネットワークに接続された計算機又は計算機群に組み含むことができる。
【００２５】
ＤＲＭシステムはまた，例えば識別データ（氏名，住所，電話番号），ユーザのＤＲＭ適合デバイスに関連するデータ，コンテンツ視聴契約に関連するデータ，課金に関するデータなどのようなデータを，ユーザ側に格納することもできる。ＤＲＭシステムは，移動体ネットワーク運用事業者と，例えば課金のために通信することができる。
【００２６】
本発明の実施例では，ＤＲＭシステムの機能の一つは移動体端末７０にＤＲＭインフラストラクチャを提供することである。図２に示すように，ＤＲＭシステムは，移動体端末７０に，ＵＫ２７を含む保護されたアプリケーション３６を提供する。その保護アプリケーションは移動体端末上で動作し，例えば，かぎ復号及び権利強制のようなＤＲＭ動作を実行する。保護アプリケーションは，保護された計算を提供する任意の既知の方法に従ってプログラムすることができる。さらに，一旦移動体端末にインストールされると，保護アプリケーションは，システムによって送信された任意の数のＥＭＭにＤＲＭ強制を与える。この実施例は，ＵＫの配信を提供するので特に有利である。それ故，一度も特定ＤＲＭシステムに関係したことがない移動体端末を起動することも，更新されたセキュリティを与えるためにシステム内の移動体端末上のＵＫをリフレッシュすることもできる。
【００２７】
保護アプリケーションを提供することに加えて，ＤＲＭシステムはまた，移動体端末に保護されたＳＫ及びその利用を規定する権利を与えるようにもプログラムしなければならない。これは，ＳＫの利用権利を規定するＤＲＭ証明書３５に包まれたＥＭＭを生成するために，ＳＫを暗号化／包装（ｗｒａｐ）する３４ことにより達成される。したがって，ＤＲＭシステム３０を組み込んだ計算機は，ＥＭＭ及び他のデータをＤＲＭ証明書３５で包み，また暗号化する３４，すなわちカプセル化するようにプログラムされる。ＤＲＭシステム３０は，例えばＤＲＭ証明書及び保護アプリケーションなどのＤＲＭメッセージ及びオブジェクトを配信するために，移動体ネットワーク８０を通じて移動体端末と通信する。
【００２８】
権利オブジェクトとして，ＤＲＭ証明書はまた，ＳＫに関係付けられたコンテンツに実施することのできる，利用回数及び利用種別を規定する保護された権利定義も含む。ＤＲＭ証明書は更に，例えば要求し／注文したコンテンツに関するデータ及び課金又は決済に関するデータなどの他のデータも含む。ＤＲＭ証明書は，例えばＯＤＲＬのような権利記述言語，又は例えばＸＭＬのような拡張可能なマークアップ言語，又はその任意の派生物で表現することができる。
【００２９】
しかし，権利オブジェクトの機能は，システム又は保護アプリケーションに権利を予めプログラムするという，より柔軟性の低い方法で実装することもできる。例えば，保護アプリケーションは，受信したすべてのＥＭＭについて，例えば１回のみ再生可能など，ある権利の集合をだけを許すようにプログラムできる。
【００３０】
ここで移動体端末の動作及び最終ユーザ４０において実施される動作に移る。上述のとおり，最終ユーザ４０は，ＤＶＢ暗号化コンテンツを受信し，ディスプレイを介して出力する手段を用いる。開示された実施例では，この動作はＤＶＢセットトップボックスで実行されるが，開示された動作は，ＴＶに統合しても，又はその開示された機能を実行することができる当業において既知の任意のハードウェアに組み込んでもよい。
【００３１】
図３に示すように，ＤＶＢセットトップボックスは，有線接続，又は無線ＲＦ，又は赤外線リンクのような任意の既知の通信リンクを介して移動体端末と通信する。一つの有利な実施例は，セットトップボックスと移動体端末との間の通信にＢｌｕｅｔｏｏｔｈ（登録商標）を利用することであり，なぜならＢｌｕｅｔｏｏｔｈ（登録商標）は確立された標準であり，セットトップボックスと移動体端末との間で既製のセキュアコネクションを提供するからである。前に議論したように移動体端末７０は，移動体ネットワークに接続され，ＤＲＭシステムの開示された機能を実行するようにプログラムされた単なるハードウェアデバイスである。
【００３２】
最終ユーザが保護されたＤＲＭコンテンツを注文するところから過程が始まる。利用可能なコンテンツリストが，ＤＶＢネットワークを介したＴＶ，又はセットトップボックス，又はユーザインタフェースを介した移動体端末自身でブラウズするために準備される。ユーザが移動体端末でコンテンツをブラウズする場合は，移動体端末は利用可能なコンテンツの選択肢を記述したデータを受信するために，ＤＲＭシステムのサーバ又は他の情報源に接続することができる。代替として，利用可能なコンテンツは，音声電話ネットワークを介してブラウズし，注文することができる。
【００３３】
どの場合でも，一旦ユーザが特定のコンテンツを選択したら，ＤＲＭシステム３０は通知を受け，要求されたＤＲＭ証明書及びソフトウェアを移動体端末７０に配信を始める。注文の過程で移動体端末を利用することにより，ＤＶＢコンテンツ提供事業者はコンテンツの課金のために，移動体端末課金ネットワークを利用することができる。言い換えれば，もしユーザがペイパービュー映画を注文すると，その映画の料金は単純にユーザの携帯電話請求書に加算することができる。
【００３４】
コンテンツが注文されると，そのコンテンツの利用過程が始まる。図３に示すように，セットトップボックス４１は暗号化ＤＶＢコンテンツ１ｅ及びその関連ＥＣＭ２５を受信し，又は前に受信し格納しておく。しかし，セットトップボックスは，ＥＣＭに含まれるＣＳＡ制御語なしではどの暗号化ＤＶＢコンテンツも利用できない。しかし，クリアＣＡＳ制御語を得るためには，ＥＣＭを適当なサービスかぎで復号しなければならない。これを実施するために，セットトップボックス４１は，ＥＣＭ２５をＢｌｕｅｔｏｏｔｈ（登録商標）リンク９０を介して移動体端末７０に渡す。この段階ではＥＣＭは暗号化ＣＳＡ制御語を含んでいるので，Ｂｌｕｅｔｏｏｔｈ（登録商標）リンクは必ずしも保護しなくてもよい。都合よく，多くのセットトップボックスは既に同類の機能を実行し，受信したＥＣＭを復号のためにスマートカードに送信している。したがって，セットトップボックスは，スマートカードの代わりに移動体端末と通信するように再設計するだけでよい。
【００３５】
上記のように，また図３に示すように，移動体端末７０は，ＤＲＭシステム３０から保護アプリケーション３６及びＤＲＭ証明書３５を受信している。ＣＳＡ制御語を復号する過程は次のとおりである。好ましくは，移動体端末は移動体ＤＲＭエンジン７２を備え，それはセキュアな処理を実行し，適用されているＤＲＭを妨害しようとする個人による改ざんに抵抗できるように設計されたハードウェア及び／又はソフトウェアである。ＤＲＭエンジンは保護アプリケーション３６を動作させ，それはＵＫ２７にセキュアにアクセスすることができる。保護アプリケーションは，ＤＲＭ証明書３５及びＥＣＭ２５を入力として受け取る。
【００３６】
ＤＲＭは次に，ＤＲＭ証明書に表現された権利が，例えばＤＶＢコンテンツの再生など要求された利用を許可するかどうかを判定する。もし，要求された利用が許可されていれば，保護アプリケーションはＵＫを使ってＥＭＭに含まれるＳＫを復号する７４。復号されたＳＫは次に，クリアＣＳＡ制御語１０を得るためにＥＣＭに含まれるＣＳＡ制御語を復号するのに用いられる。クリアＣＳＡ制御語は次に，Ｂｌｕｅｔｏｏｔｈ（登録商標）リンクを介してセットトップボックスに送り返される。望ましくは，クリアな，すなわち暗号化されていないＣＳＡ制御語のセットトップボックスへの送信は，セキュアなＢｌｕｅｔｏｏｔｈ（登録商標）リンクを介して行われるのがよい。Ｂｌｕｅｔｏｏｔｈ（登録商標）リンクセキュアコネクションは，既製の認証，承認及び暗号化（平文の暗号化）を提供する。
【００３７】
ＤＲＭシステムを実現する保護アプリケーションを配信することは，保護アプリケーションを最終ユーザの特定の移動体端末及び／又はセットトップボックスのためにあつらえることができ，それによって用いる装置に関係なくユーザに互換性のある動作を保証するので，特に有利である。
【００３８】
復号ＣＳＡ制御語１０を受信すると，ＤＶＢセットトップボックスはＣＳＡ制御語を使ってＤＶＢ  ＣＳＡ復号４３を実行する。これによりクリアＤＶＢコンテンツ１ｃが生成され，それが次に利用のためにディスプレイ４６に出力される。ディスプレイ４６は，単にコンテンツを利用するための一般表現である。実際には，コンテンツはそれぞれ適当なデバイスで用いられる音楽，ソフトウェア，などである。
【００３９】
代替の実施例では，保護アプリケーションはＤＲＭ証明書に表現されたとおりの有効期間を有することができ，また保護アプリケーションは，有効期限が切れた後は，動作しないようにするか，廃棄されるか，上書きされるか，若しくは全体又は部分的に削除されるようにすることができる。本発明の一つの実施例では，動作しないようにされた保護アプリケーションが，ＤＲＭシステムからの応答メッセージによって再活性化することができ，再活性化メッセージは，他の保護アプリケーションを含むＤＲＭ証明書であってもよい。
【００４０】
他の実施例は，ネットワークから位置情報を受信するために，移動体電話ネットワークを利用することができる。移動体端末の位置は，セルレベルまでは容易に判定することができ，位置情報データはネットワーク内の訪問者位置レジスタ（ＶＬＲ）で得られる。受信した位置情報は限定受信の一部として利用することができる。例えば，ＤＲＭ証明書はこの特徴を使って適用できる地理的制限を含んでもよい。
【００４１】
他の有利な実施例は，ＤＶＢコンテンツを受信する任意の近隣デバイスと接続した移動体端末を用いる。もし，Ｂｌｕｅｔｏｏｔｈ（登録商標）コネクションが用いられるなら，Ｂｌｕｅｔｏｏｔｈ（登録商標）サービス発見プロトコル及びＢｌｕｅｔｏｏｔｈ（登録商標）ペアリング機構が必要なセットトップボックス識別に用いることができる信頼関係を提供するであろう。この機能性は，ユーザが友人の家又は他の場所で，コンテンツを購入し利用することができるようにする。
【００４２】
他の有利な実施例では，ＤＲＭシステムは，移動体端末の利用を補強し，オープンモバイルアライアンス（ＯＭＡ）標準のＤＲＭインフラストラクチャを実装することができる。ＥＭＭ及びＤＲＭ権利を配信するためにＯＭＡに適合する移動体端末を利用する利点は二重である。第１に，移動体端末はほとんどの個人が持っている共通のハードウェアであり，それ故放送事業者は，すべての可能性のある最終ユーザに特別なハードウェアを配置することなく付加サービスを提供できる。第２に，移動体端末を利用することはまた，放送事業者がＯＭＡのような標準移動体ＤＲＭシステムを採用できるようにし，それによって費用の掛かる特別なシステムを開発し，維持する必要性を除去する。この双方の利点は，最終ユーザが標準装置を利用して，とっさに有料ＤＶＢコンテンツを取得することができるシステムに導く。これにより，ユーザが有料コンテンツを視聴するために前もって計画し，特別な装置を取得しなければならないシステムに比べて，より市場性のあるシステムにすることができる。
【００４３】
一般に，ＯＭＡは移動体端末のソフトウェア標準及びハードウェア標準を定義する。ＯＭＡ  ＤＲＭ標準は，適合デバイスが保護されたコンテンツ及びＪａｖａ（登録商標）アプレットのような実行可能アプリケーションをセキュアに送信することを含めて，権利管理システムを実装し，それに参加することができるようにする。ＯＭＡ適合移動体端末はそれで，保護コンテンツの保護を保証するために必要なＵＫ及び他のセキュリティ手続きを含むアプリケーションを動作させる。本発明では，保護コンテンツは，実際に利用できるメディアではなく，単にＳＫ及びＣＳＡ制御語である。ＯＭＡ  ＤＲＭシステムについての更に詳細な記述は，ＯＭＡ  ＤＲＭ  Ｆｏｒｍａｔ  Ｖｅｒｓｉｏｎ  １．０，ＯＭＡ  Ｄｉｇｉｔａｌ  Ｒｉｇｈｔｓ  Ｍａｎａｇｅｍｅｎｔ  Ｖｅｒｓｉｏｎ  １．０，及びＯＭＡ  Ｒｉｇｈｔｓ  Ｅｘｐｒｅｓｓｉｏｎ  Ｌａｎｇｕａｇｅ  Ｖｅｒｓｉｏｎ  １．０，を含むＯＭＡ発行文書に記載されており，それらはすべてｗｗｗ．ｏｐｅｎｍｏｂｉｌｅａｌｌｉａｎｃｅ．ｃｏｍで入手でき，ここに参考として引用する。
【００４４】
本発明の文脈では，ＤＲＭシステムはＯＭＡ標準に従って保護アプリケーション及びＤＲＭ証明書を生成する。そして，移動体端末は，ＯＭＡアプリケーションを動作させ，ＤＲＭ証明書に従うとき，ＯＭＡ標準に従うように設計され，プログラムされる。
【００４５】
上述のとおり，開示された発明は開示された動作を実行できる任意のハードウェアに組み込むことができる。例えば，他の実施例では，開示された発明のすべての最終ユーザ機能は，受信ハードウェアデバイスと，再生ハードウェアデバイスと，開示された手続きを実行するソフトウェアプログラムを含むメモリデバイスとを備えた，例えば携帯電話機，ラップトップＰＣ，又はパーソナルディジタルアシスタントのような，単一の移動体端末に組み込むことができる。そのようなデバイスは，ネットワークが強化され，携帯デバイスが最終ユーザにより豊富でよりさまざまなコンテンツを提供できるようになるにつれて，ますます人気のある娯楽源となりつつある。例えば，比較的大きなカラースクリーンを持つ携帯電話機は，テレビ放送を視聴するための人気のあるデバイスになる可能性がある。
【００４６】
しかし，移動体端末を使って放送コンテンツを再生することは，解決策を必要とするいくつかの追加課題を提起する。どんな移動体デバイスにとっても最も顕著な課題は，利用可能なバッテリ寿命である。放送を受信している間は常に，移動体端末の受信回路は活性でなければならないので，放送コンテンツの受信は特にバッテリに負荷を掛ける。例えば，映画又はＴＶショーを受信するために必要な電力消費は，デバイスの利用可能なバッテリ寿命を相当に減少させる可能性がある。
【００４７】
本発明の例としての実施例は，放送を利用する状況でのバッテリ消費を減少させる解決策を提供する。その解決策は，移動体デバイスにタイムスライスされ，時間圧縮されたセグメントでの放送を提供する。言い換えれば，もし放送リンクが十分な帯域幅を持っており，セグメントに含まれるコンテンツを再生するのに掛かる時間より少ない時間で放送コンテンツのセグメントを送信することができれば，コンテンツを再生している間にコンテンツを送信し，次に受信機の電源を切ることができるので電力が節約できる。例えば，もしネットワークが３Ｍｂｉｔ／ｓでコンテンツを放送することができ，コンテンツの再生は３００ｋｂｉｔ／ｓで行われるなら，移動体端末の受信機は１０秒分のコンテンツを受信するのに１秒電源を入れるだけでよい。それで，受信機はコンテンツを再生する間，９秒間は電源を切っておくことができ，それにより９０％の電力消費を減少できる。このテクニックでライブコンテンツの放送を行うと，用いられたセグメントの長さに一致するわずかな伝送遅延が生じる。例えば，放送事業者がコンテンツを１秒のセグメントで送信することを選択したら，最初のセグメントを送信開始する前に１秒分のコンテンツをバッファする必要がある。したがって，放送は約１秒遅れることになる。
【００４８】
このタイムスライステクニックはまた，移動体デバイスがセルからセルへ移動するセルラ環境において，セル間の遷移を容易にする利点も有する。移動体端末はセルからセルへ移動するので，一つのセルから次のセルにコネクションを切り替えるための最適な時間を選ぶ必要がある。もし，移動体端末が放送をリアルタイムで受信していると，次のセルへの手渡し（ｈａｎｄｏｆｆ）は放送送信信号の受信にある欠陥を生じる可能性がある。切替えのための最適な時間を選び出すには，少なくとも非常に注意深い判断が必要である。それに比べ，開示されたタイムスライステクニックを用いると，移動体端末は他のセルを探すために間欠的に受信機を利用することができる。したがって，セグメント送信の間の拡張された時間のおかげで，最適なセル遷移時間を判断するために大きな時間窓（ｔｉｍｅ  ｗｉｎｄｏｗ）が利用できる。
【００４９】
記載されたテクニックを実施するために，移動体端末は開示された動作を実行するための実行可能なソフトウェアを有するメモリデバイスを持つことができる。開示されたテクニックが成功裏であるように，移動体端末にセグメント受信の間，受信機の電源を切り，また投入する適正なタイミングを与えなければならない。受信機の電源を投入する最初の判定は，いくつかの情報源から行うことができるが，典型的には特定のコンテンツをデバイスのユーザが要求する時点である。デバイスは，次に最初のセグメントを受信した後，電源を切る。一旦電源が切られたら，次の判定はいつ受信機の電源をまた投入するかであり，それはいくつかの方法で達成することができる。例えば，セグメントの送信ギャップを，利用されているプロトコルの一部としてシステム全体で予め設定することができる。言い換えれば，すべての送信セグメントは予め定められた間隔で発生する。代替として，移動体端末が，例えば現在再生しているセグメントの９５％に達したら，受信機の電源を入れることができるといったように，現在のセグメントがその再生フェーズを終えようとしており，次のセグメントを待っているときに受信機の電源を自動的に入れるようにすることができる。代替として，各セグメントがいつ次のセグメントが放送されるかを指示するデータを含むことができる。前のセグメント内のデータから次のセグメントの放送時間を識別することは，可変セグメントサイズを可能にし，現在のセグメントを再生しないでも次のセグメントのタイミングを判定できるので，特に有利である。
【００５０】
本発明の多くの特徴及び利点は，本願明細書から明らかであり，したがって本願の請求項は，本発明の真の精神及び範囲内に入るすべての特徴及び利点を網羅することが意図される。
【００５１】
さらに，本技術の当業者であれば，多くの修正及び変更を容易に想起できるので，本発明はここで例示され，記載されたとおりの指示及び動作に限定することは望ましくない。したがって，頼り得るすべての適当な修正物及び均等物は，本願請求項の範囲内に入るものと意図される。
【図面の簡単な説明】
【００５２】
【図１】ＤＶＢ暗号化コンテンツの配信を示すブロック図である。
【図２】移動体端末を用いるＤＶＢのためのＤＲＭシステムを開示する本発明の例としての実施例を示すブロック図である。
【図３】移動体端末及びＤＶＢセットトップボックスの動作及び双方の間の通信を開示する本発明の例としての実施例を示すブロック図である。
【図１】
2007511946.tif 000003
【図２】
2007511946.tif 000004
【図３】
2007511946.tif 000005
【手続補正書】
【提出日】平成18年6月20日(2006.6.20)
【手続補正１】
【補正対象書類名】特許請求の範囲
【補正対象項目名】全文
【補正方法】変更
【補正の内容】
【特許請求の範囲】
【請求項１】
放送ディジタルコンテンツを保護するための方法であって，
第１かぎでディジタルコンテンツを暗号化するステップと，
第２かぎで前記第１かぎを暗号化するステップと，
前記の暗号化ディジタルコンテンツと，前記の暗号化第１かぎとを放送するステップと，
前記第２かぎを保護し，該第２かぎに権利を付与するステップと，
移動体ネットワークを介して，移動体端末に前記の保護第２かぎと前記の付与権利とを送信するステップとを有する方法。
【請求項２】
コンテンツ表示デバイスにおいて，前記暗号化ディジタルコンテンツと前記暗号化第１かぎとを受信するステップと，
移動体端末において，前記保護第２かぎと前記付与権利とを受信するステップと，
前記コンテンツ表示デバイスから前記移動体端末へ，前記暗号化第１かぎを送信するステップと，
前記暗号化第１かぎを，前記付与権利に従って前記保護第２かぎで復号するステップと，
前記移動体端末から前記コンテンツ表示デバイスへ，前記の復号第１かぎを送信するステップと，
前記コンテンツ表示デバイスにおいて，前記復号第１かぎで前記暗号化ディジタルコンテンツを復号するステップとを，更に有する請求項１に記載の方法。
【請求項３】
前記第２かぎを，ユーザ特定かぎで暗号化することによって保護する請求項１に記載の方法。
【請求項４】
前記付与権利を，保護された証明書（ｖｏｕｃｈｅｒ）に含めて送信する請求項１に記載の方法。
【請求項５】
前記付与権利に，前記暗号化ディジタルコンテンツを１回再生する権利を少なくとも含める請求項１に記載の方法。
【請求項６】
前記第２かぎを，ＯＭＡ標準に従って保護する請求項１に記載の方法。
【請求項７】
実行可能アプリケーションを，前記移動体端末に送信する請求項１に記載の方法。
【請求項８】
実行可能アプリケーションを前記移動体端末に送信し，該実行可能アプリケーションにより前記移動体端末が前記第２かぎを復号できるようにする，請求項２に記載の方法。
【請求項９】
前記実行可能アプリケーションにより，更に前記移動体端末が前記第１かぎを復号できるようにする，請求項８に記載の方法。
【請求項１０】
保護されたディジタルコンテンツを視聴するための方法であって，
コンテンツ表示デバイスにおいて，片方向送信リンクを介して暗号化ディジタルコンテンツと暗号化第１かぎとを受信するステップと，
移動体端末において，移動体ネットワークを介して保護第２かぎと付与権利とを受信するステップと，
前記コンテンツ表示デバイスから前記移動体端末へ，双方向送信リンクを介して前記暗号化第１かぎを送信するステップと，
前記付与権利に従って，前記保護第２かぎで前記暗号化第１かぎを復号するステップと，
前記移動体端末から前記コンテンツ表示デバイスへ，前記復号第１かぎを送信するステップと，
前記コンテンツ表示デバイスにおいて，前記復号第１かぎで前記暗号化ディジタルコンテンツを復号するステップとを有する方法。
【請求項１１】
前記移動体端末において実行可能アプリケーションを受信するステップを有し，そこで前記実行可能アプリケーションによって，前記移動体端末が前記第２かぎを復号できるようにする請求項１０に記載の方法。
【請求項１２】
前記実行可能アプリケーションによって，更に前記移動体端末が前記第１かぎを復号できるようにする請求項１１に記載の方法。
【請求項１３】
移動体端末から移動体ネットワークを介してコンテンツ権利利用のための要求を送信するステップを更に有する請求項１０に記載の方法。
【請求項１４】
ディジタルビデオ放送コンテンツを保護するためのシステムであって，
移動体ネットワークと，
前記移動体ネットワークに接続された計算機と，
前記移動体ネットワークに接続された移動体端末と，
短距離ネットワークを介して前記移動体端末に接続されたコンテンツ受信デバイスとを備え，
前記コンテンツ受信デバイスを，暗号化ディジタルコンテンツと少なくとも一つの暗号化第１かぎとを含む片方向コンテンツ送信信号を受信するようにプログラムし，また前記コンテンツ受信デバイスを，前記移動体端末へ前記暗号化第１かぎを送信するように更にプログラムし，
前記計算機を，第２かぎを保護し，該第２かぎの許可された利用権を識別する権利証明書を生成し，前記移動体ネットワークを介して前記移動体端末へ前記保護第２かぎと前記権利証明書とを送信するようにプログラムし，
前記移動体端末を，前記権利証明書に従って前記暗号化第１かぎを復号するために前記保護第２かぎを用い，前記復号第１かぎを前記コンテンツ受信デバイスに送信するようにプログラムし，
前記コンテンツ受信デバイスを，前記復号第１かぎで前記暗号化ディジタルコンテンツを復号するように更にプログラムするシステム。
【請求項１５】
保護されたディジタルコンテンツを表示するためのシステムであって，
移動体ネットワークと，
前記移動体ネットワークに接続された移動体端末と
短距離ネットワークを介して前記移動体端末に接続され，放送コンテンツを受信できるコンテンツ受信デバイスとを備え，
前記コンテンツ受信デバイスを，暗号化ディジタルコンテンツと，少なくとも一つの暗号化第１かぎとを含む放送コンテンツを受信するようにプログラムし，また前記コンテンツ受信デバイスを，前記短距離ネットワークを介して前記移動体端末へ前記暗号化第１かぎを送信するように更にプログラムし，
前記移動体端末を，前記権利証明書に従って前記暗号化第１かぎを復号するために前記保護第２かぎを用い，前記復号第１かぎを前記短距離ネットワークを介して前記コンテンツ受信デバイスに送信するようにプログラムし，
前記コンテンツ受信デバイスを，前記復号第１かぎで前記暗号化ディジタルコンテンツを復号するように更にプログラムするシステム。
【請求項１６】
前記移動体端末を，コンテンツの選択肢を受信及び表示するように更にプログラムし，また前記移動体端末が，前記保護第２かぎと前記権利証明書とをコンテンツ要求への応答として受信する請求項１５に記載のシステム。
【請求項１７】
前記コンテンツ要求を，前記移動体端末に関連する請求口座に請求する請求項１６に記載のシステム。
【請求項１８】
前記短距離ネットワークをＢｌｕｅｔｏｏｔｈ（登録商標）ネットワークとする請求項１５に記載のシステム。
【請求項１９】
前記移動体端末が，前記権利証明書に従う前記保護第２かぎの利用と，前記第１かぎの復号と，前記復号第１かぎの前記コンテンツ受信デバイスへの送信とのために，Ｊａｖａ（登録商標）アプリケーションを走行させる請求項１５に記載のシステム。
【請求項２０】
前記権利証明書がＯＭＡ  ＤＲＭに適合し，前記第２かぎをＯＭＡ  ＤＲＭに従って保護する請求項１５に記載のシステム。
【請求項２１】
放送ディジタルコンテンツを保護するための方法であって，
ディジタルコンテンツを第１かぎで暗号化するステップと，
前記第１かぎを第２かぎで暗号化するステップと，
前記の暗号化第１かぎを放送するステップと，
前記の暗号化ディジタルコンテンツをいくつかのセグメントで放送するステップと，
前記第２かぎを保護し，該第２かぎに権利を付与するステップと，
前記の保護第２かぎと前記の付与権利とを，いくつかのネットワークの少なくとも一つを介して移動体端末に送信するステップとを有する方法。
【請求項２２】
各セグメントを，該セグメントに含まれる前記暗号化ディジタルコンテンツの再生に必要な時間より短い時間で放送する請求項２１に記載の方法。
【請求項２３】
前記保護第２かぎと前記付与権利とを，移動体ネットワークを介して移動体端末へ送信する請求項２１に記載の方法。
【請求項２４】
放送ディジタルコンテンツを保護するための方法であって，
ディジタルコンテンツを第１かぎで暗号化するステップと，
前記第１かぎを第２かぎで暗号化するステップと，
前記の暗号化ディジタルコンテンツをいくつかのセグメントで放送し，そこで各セグメントを，該セグメントに含まれる前記暗号化ディジタルコンテンツの再生に必要な時間より短い時間で放送するステップと，
前記第２かぎを保護し，該第２かぎに権利を付与するステップと，
前記の保護第２かぎと前記の付与権利とを，移動体ネットワークを介して移動体端末に送信するステップとを有する方法。
【請求項２５】
保護されたディジタルコンテンツを視聴するための方法であって，
暗号化ディジタルコンテンツと暗号化第１かぎとの放送セグメントを受信及びバッファリングし，前記セグメントを受信した後，前記の放送受信機の電源を切るステップと，
前記移動体端末において，移動体ネットワークを介して保護第２かぎと付与権利とを受信するステップと，
前記付与権利に従って前記保護第２かぎで前記暗号化第１かぎを復号するステップと，
前記復号第１かぎで前記の暗号化ディジタルコンテンツの放送セグメントを復号するステップと，
前記のディジタルコンテンツを再生するステップと，
予定の期間待機した後，前記放送受信機の電源を投入するステップとを有する方法。
【請求項２６】
前記予定の期間を，前記放送セグメントのパラメータで指示する請求項２５に記載の方法。
【請求項２７】
前記予定の期間を，前記移動体端末にプログラムする請求項２５に記載の方法。
【請求項２８】
前記予定の期間を，前記ディジタルコンテンツの再生に要する時間によって判定する請求項２５に記載の方法。
【請求項２９】
前記ディジタルコンテンツをＤＶＢビデオ番組とする請求項２５に記載の方法。
【請求項３０】
ディジタルビデオ放送コンテンツを保護するためのシステムであって，
移動体ネットワークと，
前記移動体ネットワークに接続された計算機と，
前記移動体ネットワークに接続された移動体端末とを備え，
前記移動体端末がコンテンツ受信デバイスとコンテンツ再生デバイスとを備え，
前記コンテンツ受信デバイスを，暗号化ディジタルコンテンツと少なくとも一つの暗号化第１かぎとの複数セグメントを含む片方向コンテンツ送信信号を受信するようにプログラムし，
前記計算機を，第２かぎを保護し，該第２かぎの許可された利用権を識別する権利証明書を生成し，前記移動体ネットワークを介して前記移動体端末へ前記保護第２かぎと前記権利証明書とを送信するようにプログラムし，
前記移動体端末を，前記権利証明書に従って前記暗号化第１かぎを復号するために前記保護第２かぎを用いるようにプログラムし，前記コンテンツ受信デバイスが，前記復号第１かぎで前記暗号化ディジタルコンテンツを復号するように更にプログラムし，
前記移動体端末を，暗号化ディジタルコンテンツの第１セグメント受信後に前記コンテンツ受信デバイスの電源を切り，次に暗号化ディジタルコンテンツの第２セグメントを受信するために，予定の期間後に前記コンテンツ受信デバイスの電源を投入するようにプログラムし，
前記の再生デバイスが前記の復号ディジタルコンテンツを再生するシステム。
【請求項３１】
保護されたディジタルコンテンツを表示するためのシステムであって，
移動体ネットワークと，
前記移動体ネットワークに接続された移動体端末とを備え，
前記移動体端末が，放送コンテンツの受信ができるコンテンツ受信デバイスと，コンテンツ再生ができる再生デバイスとを備え，
前記コンテンツ受信デバイスを，暗号化ディジタルコンテンツと少なくとも一つの暗号化第１かぎとのセグメントを含む放送コンテンツ送信信号を受信するようにプログラムし，また前記コンテンツ受信デバイスを，前記短距離ネットワークを介して前記移動体端末へ前記暗号化第１かぎを送信するように更にプログラムし，
前記移動体端末を，前記権利証明書に従って前記暗号化第１かぎを復号するために前記保護第２かぎを用いるようにプログラムし，また前記コンテンツ受信デバイスを，前記復号第１かぎで前記暗号化コンテンツを復号するように更にプログラムし，
前記移動体端末を，暗号化ディジタルコンテンツの第１セグメント受信後に前記コンテンツ受信デバイスの電源を切り，次に暗号化ディジタルコンテンツの第２セグメントを受信するために，予定の期間後に前記コンテンツ受信デバイスの電源を投入するようにプログラムし，
前記の再生デバイスが前記の復号ディジタルコンテンツを再生するシステム。
【請求項３２】
前記暗号化ディジタルコンテンツをＤＶＢ送信信号とし，前記再生デバイスをスクリーン及び少なくとも一つのスピーカとする請求項３１に記載のシステム。
【請求項３３】
保護されたディジタルコンテンツを表示するためのシステムであって，
移動体端末と，
放送コンテンツの受信ができるコンテンツ受信デバイスと，コンテンツ再生ができる再生デバイスとを備えた前記移動体端末とを備え，
前記コンテンツ受信デバイスを，暗号化ディジタルコンテンツと少なくとも一つの暗号化第１かぎとのセグメントを含む放送コンテンツ送信信号を受信するようにプログラムし，また前記コンテンツ受信デバイスを，前記移動体端末へ前記暗号化第１かぎを伝えるように更にプログラムし，
前記移動体端末を，前記権利証明書に従って前記暗号化第１かぎを復号するために前記保護第２かぎを用いるようにプログラムし，前記コンテンツ受信デバイスを，前記復号第１かぎで暗号化ディジタルコンテンツを復号するように更にプログラムし，
前記移動体端末を，暗号化ディジタルコンテンツの第１セグメント受信後に前記コンテンツ受信デバイスの電源を切り，次に暗号化ディジタルコンテンツの第２セグメントを受信するために，予定の期間後に前記コンテンツ受信デバイスの電源を投入するようにプログラムし，
前記第１かぎの少なくとも一つを復号し，次に前記暗号化ディジタルコンテンツを復号し，そして前記再生デバイスが前記復号ディジタルコンテンツを再生するシステム。
【請求項３４】
電子デバイスであって，
プログラムコードを格納するメモリと，
前記の格納されたプログラムに従って命令を実行するために，前記メモリと通信するように配置されたプロセッサと，
前記プロセッサと通信するように配置されたコンテンツ受信ハードウェアデバイスとを備え，
前記プログラムコードが，前記プロセッサで実行されたときに，
暗号化ディジタルコンテンツと少なくとも一つの暗号化第１かぎとのセグメントを含む放送コンテンツ送信信号を受信し，
権利証明書に従って前記暗号化第１かぎを復号するために保護第２かぎを用い，
前記復号第１かぎで前記暗号化ディジタルコンテンツを復号するように前記プロセッサを実行させ，
前記プロセッサが，暗号化ディジタルコンテンツの第１セグメント受信後に前記コンテンツ受信ハードウェアデバイスの電源を切り，次に暗号化ディジタルコンテンツの第２セグメントを受信するために，予定の期間後に前記コンテンツ受信ハードウェアデバイスの電源を投入し，
前記第１かぎの少なくとも一つを復号し，次に前記暗号化ディジタルコンテンツを復号し，そして前記復号ディジタルコンテンツを再生するデバイス。
【国際調査報告】
2007511946.tif 000006